(57)【要約】【課題】  撮影者、被撮影者及び第３者のいずれもが撮影範囲を容易且つ確実に確認できると共に、ファインダーやモニター画面内で写らない微小なものの近傍でも撮影範囲確認も可能で、複数カメラを組み合わせてある範囲をカバーしているか確認する等の応用にも適用すること。【解決手段】  空間の任意範囲を撮影する撮影装置２の撮影範囲を示唆するものであって、所定の領域を囲む枠状であると共に該枠内を覆う第１の光線Ｌ１と、該第１の光線Ｌ１の周囲を囲むと共に第１の光線Ｌ１との間に挟まれる領域を覆う第２の光線とのうち、少なくとも一方の光線を被写体方向に照射して投影表示する照射部と、撮影装置２の画角情報ａが入力されると共に該画角情報ａに基づいて照射部の投影画角を制御する制御部とを備え、所定の領域が、撮影装置２の撮影範囲を示す領域である撮影範囲投影表示装置３を提供する。【選択図】  図１
2006106388.tif 000002
【特許請求の範囲】
【請求項１】
空間の任意範囲を撮影する撮影装置の撮影範囲を示唆する撮影範囲投影表示装置であって、
所定の領域を囲む枠状であると共に該枠内を覆う第１の光線と、該第１の光線の周囲を囲むと共に第１の光線との間に挟まれる領域を覆う第２の光線とのうち、少なくとも一方の光線を被写体方向に照射して投影表示する照射部と、
前記撮影装置の画角情報が入力されると共に該画角情報に基づいて前記照射部の投影画角を制御する制御部とを備え、
前記所定の領域は、前記撮影装置の撮影範囲を示す領域であることを特徴とする撮影範囲投影表示装置。
【請求項２】
請求項１記載の撮影範囲投影表示装置において、
前記照射部は、それぞれ互いに異なる波長の光線を、前記第１の光線及び前記第２の光線として照射することを特徴とする撮影範囲投影表示装置。
【請求項３】
請求項１又は２記載の撮影範囲投影表示装置において、
前記制御部は、前記撮影装置と前記照射部との相対位置情報を入力可能であり、該相対位置情報に基づいて前記照射部の照射方向を制御することを特徴とする撮影範囲投影表示装置。
【請求項４】
請求項１から３のいずれか１項に記載の撮影範囲投影表示装置において、
前記第１の光線の照射する領域が前記撮影装置の撮影範囲より狭くなるように、前記照射部の光線の光軸及び照射角が設定されていることを特徴とする撮影範囲投影表示装置。
【請求項５】
請求項１から４のいずれか１項に記載の撮影範囲投影表示装置と、前記撮影装置とを備え、
前記撮影装置の撮影光学系と前記照射部の照明系とが共有の光学系であることを特徴とする電子機器。
【発明の詳細な説明】
【技術分野】
【０００１】
本発明は、空間の任意範囲を投影する投影装置の投影範囲を示唆するための撮影範囲投
影表示装置及び電子機器に関するものである。
【背景技術】
【０００２】
従来より、静止画カメラやムービーカメラ等の空間の任意範囲を撮影する撮影装置のために、その撮影範囲を示唆する装置として、ファインダーやモニター等が一般的に普及している。
また、モニター等の代わりに手元に映像を投影することで、撮影範囲を示唆するドキュメントカメラが知られている（例えば、特許文献１）。
このドキュメントカメラは、被写体を撮像する撮像ヘッドに一体的に取り付けられた光フレーム投影器を備えている。この光フレーム投影器は、撮像ヘッドの結像光学系の入射光軸に沿って、撮影範囲の４隅に光フレームを投影することができるようになっている。従って、撮影者は、例えば、テーブルや地面上に光フレームを投影させた後、光フレームで囲まれる領域内（光フレームの内側）に位置するように被写体を置くだけで、簡単且つ容易に被写体を位置決めした状態で撮像ヘッドにて撮像を行うことができる。
【０００３】
また、カメラの撮影レンズがあるカメラ本体の前面側にホログラムを設け、該ホログラムで反射した反射光を被写体である被撮影者自らが視認することで、撮影範囲内に入っているか否かを判断することができるカメラが知られている（例えば、特許文献２参照）。
このカメラは、例えば、撮影レンズの上方に位置するカメラ本体の表面にホログラムが取り付けられている。このホログラムは、ホログラムの取付面（シート面）に直交する方向から白色等の外光が入射する場合に、該外光を反射角度に応じて異なる色の光で反射するものである。そして、ホログラムは、該ホログラムの外光反射視域角がカメラの撮影画角と略同一となるように取りつけられている。
【０００４】
このカメラを使用して横一列に並んだ複数人の被写体（被撮影者）を撮影する場合、各人は、それぞれ自己位置に応じて異なる色の反射光を視認する。例えば、ホログラムの正面に位置している人は、薄暗い褐色の反射光を視認し、また、外光反射視域角付近に位置している人は、緑色の反射光を視認する。この際、外光反射視域角は、上述したように、カメラの撮影画角と略同一になるように調整されているので、緑色の反射光を視認した人は撮影範囲内と範囲外との境界付近に位置していると判断する。一方、薄暗い褐色の反射光を視認した人は、撮影範囲内に位置していることを確認することができる。
このように、ホログラムで反射した反射光を被撮影者が視認することで、被撮影者自らが撮影範囲内であるか否かを容易且つ確実に判断することができる。
【０００５】
また、カメラの向いている向きを示唆するために、レーザー線を被写体に向けて照射する撮影被写体の的確認装置が知られている（例えば、特許文献３参照）。
この的確認装置は、撮影被写体の的線に平行なレーザ光線を照射可能なレーザー光発生器を備えている。そして、撮影したい景観や現場に遭遇した場合に、スイッチ操作部によりレーザー光線を照射させる。これにより、カメラファインダーを覗かなくても、レーザー光線の光点を肉眼で確認しながら、撮影被写体にカメラを的確に向けて撮影を行うことができる。
【０００６】
更に、レーザー光線を、被写体の撮り得る範囲を示す位置に照射して、被写体の撮影範囲を表示する装置が知られている（例えば、特許文献４参照）。
この装置は、ケース内に、鏡面を有すると共に一方の側が枢着部を支点として揺動可能な反射体と、偏心カムを回転させるモータと、反射体の他方の側において鏡面の裏面を偏心カムに接触させるバネと、鏡面に向けてレーザー光線を照射するレーザー発光体とを主構成品として備えている。
【０００７】
このように構成された装置により撮影範囲を表示する場合には、まず、モータを駆動させて偏心カムを回転させる。これにより、反射対は、枢着部を支点として揺動する。そして、レーザー発光体により、レーザー光線を鏡面に向けて照射する。照射されたレーザー光線は、鏡面で反射すると共に反射体の揺動運動に伴って、被写体の撮り得る範囲に直線状に軌跡を描く。この際、レーザー発光体を上下左右に設けることで、被写体の撮り得る範囲を示す位置に四角状の枠、即ち、輪郭線を形成することができる。
従って、ファインダーを覗く必要がなく、実際に輪郭線を目視しながら被写体を撮影することができる。
【特許文献１】特開平９−１３５４３０号公報
【特許文献２】特開平１１−１４２９２２号公報
【特許文献３】特開平１０−１７０９９２号公報
【特許文献４】特開平８−５４６７４号公報
【発明の開示】
【発明が解決しようとする課題】
【０００８】
しかしながら、上記従来の方法では、以下のような問題点があった。
まず、撮影範囲を示唆するものとして、従来のファインダーを利用したものは、図８に示すように、撮影者が画角を確認する目的のものなので、撮影者しか撮影範囲を確認ができず、被撮影者が撮影範囲を確認することはできなかった。
また、画面を確認して使用するものなので、画面内で写らない微小なもの（微小物）の近傍で撮影範囲の確認を行えない不都合もあった。
更に、複数のカメラを組み合わせて、ある範囲をカバーしているか確認する（例えば、複数の監視カメラを設置して、これらカメラ群が全体として空間をどの程度カバーして、死角ポイントがどの程度あるか等の確認）等の応用を行うことは困難なものであった（考慮されていない）。
【０００９】
また、従来のモニターを利用したものは、図９に示すように、モニターの置き場所によっては、上述したファインダーの場合とは異なり、撮影範囲をモニターによって被撮影者自身が確認することが可能になるが、その反面、撮影者はモニター及び被撮影者の両方を同時に見ながら（確認しながら）撮影を行うことが困難なものであった。
また、ファインダーを利用した場合と同様に、画面内に写らない微小なものの近傍で撮影範囲の確認を行うことが難しく、また、複数のカメラを組み合わせて、ある範囲をカバーしているか確認するような応用は考慮されていなかった。
【００１０】
また、上記特許文献１記載のドキュメントカメラを利用した方法は、単に光フレームを投影することで、モニターの代わりとして手元に撮影範囲を示唆するものなので、上述したモニターの課題と同じ課題を基本的に有している。
【００１１】
また、上記特許文献２記載のカメラを利用した方法は、ホログラムで反射した所定の色の光を被撮影者自身が確認することで、被撮影者自らがカメラの画角（撮影範囲）を確認することはできるが、撮影者や第３者がカメラの撮影範囲を確認することはできなかった。
【００１２】
また、上記特許文献３記載の撮影被写体の的確認装置を利用した方法は、レーザー光線を照射することで、カメラの向きを示唆することは可能であるが、単にカメラの向きのみであり、撮影範囲を示唆することはできなかった。
【００１３】
更に、上記特許文献４記載の被写体の撮影範囲を表示する装置を利用した方法は、図１０に示すように、輪郭線のみを表示するため、撮影者及び第３者は確認することができるが、被撮影者自身が輪郭線を確認するには、壁等の背景に写った輪郭線を頻繁に振り返って確認する必要があるので、負担が多く手間がかかるうえ、確認し難いものであった。
特に、輪郭線を表示するスクリーンとなる壁等の表示物が後方（背景）に必要となるので、撮影場所が制限される不都合があった。
また、複数カメラを組み合わせて、ある範囲をカバーしているかという応用を行った場合には、図１１に示すように、それぞれ単に輪郭線の集まりなので、見分けることが難しく、撮影範囲内であるか撮影範囲外であるかを確認することが困難なものであった。例えば、Ｂ地点では撮影範囲内であり、Ｃ地点では撮影範囲外である。いずれしても、周囲の輪郭線を注意して確認しなければ、判断し難いものであった。
【００１４】
この発明は、上記従来技術の問題点に鑑みてなされたものであり、その目的は、撮影者、被撮影者及び第３者のいずれもが撮影範囲を容易且つ確実に確認できると共に、ファインダーやモニター画面内で写らない微小なものの近傍でも撮影範囲確認も可能で、複数カメラを組み合わせてある範囲をカバーしているか確認する等の応用にも適用することができる撮影範囲投影表示装置及び電子機器を提供することである。
【課題を解決するための手段】
【００１５】
上記の目的を達成するために、この発明は以下の手段を提供している。
請求項１に係る発明は、空間の任意範囲を撮影する撮影装置の撮影範囲を示唆する撮影範囲投影表示装置であって、所定の領域を囲む枠状であると共に該枠内を覆う第１の光線と、該第１の光線の周囲を囲むと共に第１の光線との間に挟まれる領域を覆う第２の光線とのうち、少なくとも一方の光線を被写体方向に照射して投影表示する照射部と、前記撮影装置の画角情報が入力されると共に該画角情報に基づいて前記照射部の投影画角を制御する制御部とを備え、前記所定の領域が、前記撮影装置の撮影範囲を示す領域である撮影範囲投影表示装置を提供する。
【００１６】
この発明に係る撮影範囲投影表示装置においては、制御部が、入力された撮影装置の画角情報に基づいて、照射部の投影画角の制御を行う。そして、照射部は、第１の光線と第２の光線とのうち少なくとも一方の光線を被写体方向に向けて照射する。
例えば、第１の光線を照射した場合には、空間に第１の光線により色付けされた（枠内を覆う）枠状の領域が投影表示される。この第１の光線により囲まれた枠状の領域は、撮影装置の撮影範囲を示唆している、即ち、色付けされている領域が撮影範囲内を示していると共に色付けされていない領域が撮影範囲外を示しているので、撮影者は、従来のようにファインダー等を見なくても、容易且つ確実に撮影範囲内に被写体（被撮影者）を入れることができる。また、第３者においても、同様に撮影範囲に被写体が入っているか否かを容易且つ確実に確認することができる。
【００１７】
一方、被撮影者側においても、自分自身に第１の光線による特定の色で色付けされた光が照射されているか否かで、容易且つ確実に撮影範囲内に位置しているか否かを判断できる。特に、従来の輪郭線のみを照射するもののように、わざわざ後ろを振り返って輪郭線を確認する必要がないので、負担が少なく簡便である。加えて、従来の輪郭線のみを照射するものは、被撮影者の後方（背景）に輪郭線を表示させる（写しだす）壁等の表示物が必要であるのに対し、照射部は、色付けされた（枠内を覆う）光線を照射するので、後方に壁等がない状況でも撮影範囲を示唆することができる。従って、場所の制限を受けないので、使い易い。
【００１８】
また、上述したように、ファインダーやモニター画面等を用いずに被写体に第１の光線を投影表示して確認を行うので、従来のようにファインダーやモニター等に写らない微小なものの近傍での撮影範囲の確認を確実に行える。  
また、例えば、本発明の撮影範囲投影表示装置を有するカメラを複数組み合わせて同時に投影表示させることで、特定の色が付いている領域が全体としての撮影領域であるので、総撮影範囲がその領域をカバーしているかを容易に確認でき、監視カメラ等の応用にも適用することが可能である。
【００１９】
第１の光線を照射した場合を上記に説明したが、例えば、青色の第２の光線を照射しても構わない。こうすることで、撮影範囲外が青色に色付けされ、該青色の光線で囲まれると共に光が到達していない領域が撮影範囲内を示唆することになる。つまり、青色の光線で囲まれた光のない領域に位置することで、撮影範囲内に入ることができる。このように、光の有無を利用して、より確実に撮影装置の画角を認識でき、撮影範囲を確認することができる。
更に、照射部より、第１の光線及び第２の光線を共に照射することで、撮影範囲を確認しても構わない。この場合は、例えば、共に同じ色の光線でも良く、光線の光強度を利用して撮影範囲内であるか否かを確認しても良い。
【００２０】
上述したように、撮影者、被撮影者及び第３者のいずれもが、撮影装置の撮影範囲を容易且つ確実に確認できると共に、ファインダーやモニター画面内で写らない微小なものの近傍でも撮影範囲確認も可能で、複数カメラを組み合わせてある範囲をカバーしているか確認する等の応用にも適用することができる。
【００２１】
請求項２に係る発明は、請求項１記載の撮影範囲投影表示装置において、前記照射部が、それぞれ互いに異なる波長の光線を、前記第１の光線及び前記第２の光線として照射する撮影範囲投影表示装置を提供する。
【００２２】
この発明に係る撮影範囲投影表示装置においては、照射部が、それぞれ互いに異なる波長の光線、即ち、色の異なる光線を第１の光線及び第２の光線として照射する。これにより、第１の光線及び第２の光線を同時に照射したとしても、よりはっきりと撮影範囲内であるか撮影範囲外であるかを区別して判断することができる。例えば、撮影範囲内を赤色で示し、撮影範囲外を青色で示すことが可能である。
【００２３】
請求項３に係る発明は、請求項１又は２記載の撮影範囲投影表示装置において、前記制御部が、前記撮影装置と前記照射部との相対位置情報を入力可能であり、該相対位置情報に基づいて前記照射部の照射方向を制御する撮影範囲投影表示装置を提供する。
【００２４】
この発明に係る撮影範囲投影表示装置においては、撮影装置と照射部とが、互いに離れた別個の位置にそれぞれ位置していたとしても、制御部が入力された相対位置情報に基づいて照射部の照射方向を制御するので、それぞれの設置位置に関係なく高精度に撮影範囲を示唆することができる。従って、設置位置の影響をなくすことができるので、設計の自由度が向上する。
【００２５】
請求項４に係る発明は、請求項１から３のいずれか１項に記載の撮影範囲投影表示装置において、前記第１の光線の照射する領域が前記撮影装置の撮影範囲より狭くなるように、前記照射部の光線の光軸及び照射角が設定されている撮影範囲投影表示装置を提供する。
【００２６】
この発明に係る撮影範囲投影表示装置においては、第１の光線により投影表示された枠状の領域、即ち、撮影範囲領域が、必ず撮影装置の撮影画角内に収まるので、第１の光線の枠内に位置することで、より確実に撮影範囲内に位置することができる。このように正確さの向上を図ることができる。
【００２７】
請求項５に係る発明は、請求項１から４のいずれか１項に記載の撮影範囲投影表示装置と、前記撮影装置とを備え、前記撮影装置の撮影光学系と前記照射部の照明系とが共有の光学系である電子機器を提供する。
【００２８】
この発明に係る電子機器においては、撮影光学系と照明系とが共有の光学系を有しているので、照射部により示唆された撮影範囲と、撮影装置の撮影範囲とが確実に一致する。従って、示唆された撮影範囲内でより確実に撮影を行うことができる。また、共有の光学系にできるので、シンプルな構成にでき、小型化を図ることができる。
【発明の効果】
【００２９】
本発明に係る撮影範囲投影表示装置によれば、撮影者、被撮影者及び第３者のいずれもが、撮影装置の撮影範囲を容易且つ確実に確認できると共に、ファインダーやモニター画面内で写らない微小なものの近傍でも撮影範囲確認も可能で、複数カメラを組み合わせてある範囲をカバーしているか確認する等の応用にも適用することができる。
また、本発明に係る電子機器によれば、撮影範囲投影表示装置により示唆された撮影範囲内でより確実に撮影を行うことができると共に、シンプルな構成で小型化を図ることができる。
【発明を実施するための最良の形態】
【００３０】
以下、本発明に係る撮影範囲投影表示装置及び電子機器の第１実施形態について、図１及び図２を参照して説明する。なお、本実施形態においては、撮影装置として、通常の３５ｍｍフィルムカメラを例にして説明する。
本実施形態の電子機器１は、図１及び図２に示すように、上記フィルムカメラ２と、該フィルムカメラ２の右上部に取り付けられた撮影範囲投影表示装置３とを備えている。
この撮影範囲投影表示装置３は、空間の任意範囲を撮影するフィルムカメラ２の撮影範囲を示唆するものであって、所定の領域を囲む枠状（矩形状）であると共に枠内を覆う光線（第１の光線）Ｌ１を被撮影者（被写体）Ａ方向に照射して投影表示する照射部１０と、フィルムカメラ２の画角情報ａが入力されると共に該画角情報ａに基づいて上記照射部１０の投影画角を制御する画角制御系（制御部）１１とを備えている。また、上記光線Ｌ１により枠状に投影表示される所定の領域は、フィルムカメラ２の撮影範囲を示す領域とされている。
【００３１】
上記照射部１０は、例えば、透過型液晶フィルムや透過フィルタである発光面１２と該発光面１２に光を照射する照明ユニット１３からなる照明系１４と、複数のレンズ等から構成されて発光面１２を透過した光束を投影する投影光学系１５とを備えている。
また、本実施形態においては、発光面１２を赤色とし、赤色の光線Ｌ１を照射するものとする。また、本実施形態においては、撮影範囲投影表示装置３は、上述したようにフィルムカメラ２の右上部に取り付けられているので、照射部１０の照射方向とフィルムカメラ２の撮影方向とが略同一であるとして説明する。
【００３２】
このように構成された電子機器１により、被撮影者Ａを撮影する場合について以下に説明する。
まず、フィルムカメラ２での撮影の前に、撮影範囲投影表示装置３の図示しない電源スイッチを入れ、図２に示すように、フィルムカメラ２より画角情報ａの取り込みを行う。画角制御系１１は、取り込んだ画角情報ａに基づいて照射部１０の投影画角の制御を行う。これと同時に、照明系１４は、照明ユニット１３からの光を照明させると共に発光面１２を透過させて赤色の光線Ｌ１とした後、投影光学系１５に入射させる。投影光学系１５は、この赤色の光線Ｌ１を、図１に示すように、被撮影者Ａ方向に照射して空間に投影表示させる。即ち、赤色で色付けされた枠状（矩形状）の光線Ｌ１を空間に投影表示させる。つまり、この色付けされた領域は、フィルムカメラ２の撮影範囲を示す領域となっており、光束が到達せず色付けされていない領域（枠外の領域）は、撮影範囲外を示唆している。
なお、フィルムカメラ２の画角をズーム等で変更した場合には、画角制御系１１により、投影光学系１５、或いは、発光面１２の発光範囲を制御することで対応できるようになっている。
【００３３】
これにより、撮影者は、従来のようにファインダー等を見なくても、容易且つ確実に撮影範囲内に被撮影者Ａを入れることができる。また、第３者においても、同様に撮影範囲に被撮影者Ａが入っているか否かを容易且つ確実に確認することができる。
また、被撮影者Ａ側においても、自分自身に赤色の光が照射されているか否かで、容易且つ確実に撮影範囲内に位置しているか否かを判断できる。特に、従来の輪郭線のみを照射するもののように、わざわざ後ろを振り返って輪郭線を確認する必要がないので、負担が少なく簡便である。更に、従来の輪郭線のみを照射するものは、被撮影者Ａの後方（背景側）に輪郭線を表示させる（写しだす）壁等の表示物が必要であるのに対し、照射部１０は、色付けされた（枠内を覆う）光線Ｌ１を照射するので、後方に壁等がない状況でも撮影範囲を示唆することができる。従って、場所の制限を受けないので、使い易い。
【００３４】
そして、撮影者、第３者及び被撮影者Ａが、それぞれ撮影範囲内に入ったことを確認した後、撮影者はフィルムカメラ２により撮影を確実に行うことができる。この際、例えば、発光面１２と投影光学系１５との間に、フィルムカメラ２の作動と同時に発光面１２を遮蔽するシャッターを設けることで、照明ユニット１３のランプを常時点灯した状態でフィルムカメラ２で撮影を行うことができる。こうすることで、シャッターを制御するだけで、必要なときに瞬時に光線Ｌ１を投影表示できるので、使い易い。
【００３５】
また、撮影者は、ファインダーやモニター画面等を用いずに、被撮影者Ａに光線Ｌ１を投影表示して確認を行うので、従来のようにファインダーやモニター画面等に写らない微小なものの近傍での撮影範囲の確認を確実に行える。
また、例えば、撮影範囲投影表示装置３を有するカメラを複数組み合わせて同時に投影表示させることで、特定の色が付いている領域が全体としての撮影領域であるので、総撮影範囲がその領域をカバーしているかを容易に確認でき、監視カメラ等の応用にも適用することが可能である。
【００３６】
上述したように、本実施形態の撮影範囲投影表示装置３によれば、撮影者、第３者及び被撮影者Ａのいずれもが、フィルムカメラ２の撮影範囲を容易且つ確実に確認できると共に、ファインダーやモニター画面内で写らない微小なものの近傍でも撮影範囲確認も可能で、複数カメラを組み合わせてある範囲をカバーしているか確認する等の応用にも適用することができる。
【００３７】
なお、本実施形態の投影光学系１５は、結像光学系を用いて影絵のような単なる光の照射であっても良い。また、画角情報ａは、正確な画角の値ではなく、概算値であっても構わない。また、画角制御系１１は、カメラの画角が予め１つしかない場合では、投影光学系１５の設計時に画角に基づいて作成すれば良い。
また、本実施形態においては、撮影装置としてフィルムカメラ２を例にして説明したが、フィルムカメラ２に限定されるものではなく、デジタルカメラ、ＦＡ用カメラ、監視用カメラ、レンズ付きフィルム等の各種のカメラでも構わない。
【００３８】
次に、本発明に係る撮影範囲投影表示装置の第２実施形態を、図３を参照して説明する。なお、この第２実施形態においては、第１実施形態における構成要素と同一の部分については、同一の符号を付しその説明を省略する。
第２実施形態と第１実施形態との異なる点は、第１実施形態の撮影範囲投影表示装置３は、第１の光線である光線Ｌ１のみを照射したのに対し、第２実施形態の撮影範囲投影表示装置２０は、光線Ｌ１及び第２の光線である光線Ｌ２の両方を同時に照射する点である。
【００３９】
即ち、撮影範囲投影表示装置２０は、図３に示すように、赤色の光線Ｌ１と、該光線Ｌ１の周囲を囲むと共に光線Ｌ１との間に挟まれる領域を覆う光線Ｌ２を照射できるようになっている。この際、照射部１０は、それぞれ異なる波長の光線を、上記光線Ｌ１及び光線Ｌ２として照射するようになっている。
本実施形態においては、発光面１２を、内側が赤色、外側が青色の面とすることで、光線Ｌ２を青色に色付けされた光線としている。
【００４０】
このように構成された撮影範囲投影表示装置２０により撮影範囲を投影表示する場合には、光線Ｌ１及び光線Ｌ２を同時に照射したとしても、図３に示すように、撮影範囲内を赤色で示し、撮影範囲外を青色で示唆することができる。従って、色の違いにより、よりはっきりと画角の確認が行え、撮影範囲内であるか撮影範囲外であるかを高精度に区別して判断することができる。
【００４１】
次に、本発明に係る撮影範囲投影表示装置の第３実施形態を、図４を参照して説明する。なお、この第３実施形態においては、第２実施形態における構成要素と同一の部分については、同一の符号を付しその説明を省略する。
第３実施形態と第２実施形態との異なる点は、第２実施形態の撮影範囲投影表示装置２０は、第１の光線である光線Ｌ１及び第２の光線である光線Ｌ２を両方同時に照射したのに対し、第３実施形態の撮影範囲投影表示装置３０は、第２の光線である光線Ｌ２のみを照射する点である。
即ち、本実施形態においては、発光面１２を、内側が遮蔽された状態、外側が青色の面としている。
【００４２】
このように構成された撮影範囲投影表示装置３０により撮影範囲を投影表示した場合には、図４に示すように、撮影範囲内は光が到達していない領域であり、撮影範囲外は青色で色付けされた領域となる。このように、光の有無によって、撮影範囲を明確に示唆することができる。従って、よりはっきりと画角の確認が行え、撮影範囲内であるか撮影範囲外であるかを高精度に区別して判断することができる。
【００４３】
次に、本発明に係る撮影範囲投影表示装置３の第４実施形態を、図５を参照して説明する。なお、この第４実施形態においては、第１実施形態における構成要素と同一の部分については、同一の符号を付しその説明を省略する。
第４実施形態と第１実施形態との異なる点は、第１実施形態の照射部１０は、第１の光線である光線Ｌ１によって示唆される撮影範囲領域が、フィルムカメラ２の撮影範囲を示す領域と同一の領域であったのに対し、第４実施形態の照射部４０は、光線Ｌ１によって示唆される撮影範囲領域がフィルムカメラ２の撮影範囲より狭くなるように設定されている点である。
【００４４】
即ち、光線Ｌ１が照射する領域が、フィルムカメラ２の撮影範囲より狭くなるように、照射部４０の光線Ｌ１の投影光軸Ｘ１及び投影画角（照射角）θ１が設定されている。
具体的には、図５に示すように、光線Ｌ１の投影画角θ１を撮影画角θ２より狭くし、且つ、光線Ｌ１の投影光軸Ｘ１を撮影光軸Ｘ２側に若干傾ける。こうすることで、光線Ｌ１によって示される撮影範囲は、実際の撮影画角内に納められる。理論的には、撮影範囲を示唆するために光線Ｌ１を用いた場合、投影系と撮影系とで全く同じ光学系で且つ光軸を一致させなければ同じ範囲にならない。即ち、投影系を撮影系と同じにしなければ、両者の範囲には差異が生じる。
このとき、投影系と撮影系とが異なったとしても、両者の光線の光軸を設定することにより、投影表示する光線Ｌ１によって示唆する撮影範囲内領域がフィルムカメラ２の撮影範囲より狭く設定されるようにすることができる。
【００４５】
これにより、投影表示する光線Ｌ１によって示唆する撮影範囲内領域が、必ず撮影画角内に収まるので、撮影時に撮影範囲内であると示唆された領域はより確実に実際の撮影範囲内となる。従って、より正確な撮影範囲の確認が可能になる。
【００４６】
次に、本発明に係る電子機器の第５実施形態を、図６を参照して説明する。なお、この第５実施形態においては、第１実施形態における構成要素と同一の部分については、同一の符号を付しその説明を省略する。
第５実施形態と第１実施形態との異なる点は、第１実施形態では、フィルムカメラ２の右上部に撮影範囲投影表示装置３が取り付けられ、両者の光学系が別々に構成されていたのに対し、第５実施形態の電子機器５０は、フィルムカメラ２の撮影光学系と照射部１０の光学系とが共有の光学系とされている点である。
【００４７】
即ち、本実施形態の電子機器５０は、図６に示すように、発光面１２と、フィルムカメラ２の撮影面（撮影光学系）５１と、発光面１２からの光を反射して光線Ｌ１として照射させると共に外部からの光を透過させて撮影面５１に入射させるミラー５２とを備えている。
このように構成することで、撮影画角と投影画角とを完全に一致させることができるので、より正確に示唆された撮影範囲で撮影を行うことができる。また、共有の光学系にできるので、シンプルな構成にでき、小型化を図ることができる。
【００４８】
次に、本発明に係る電子機器の第６実施形態を、図７を参照して説明する。なお、この第６実施形態においては、第１実施形態における構成要素と同一の部分については、同一の符号を付しその説明を省略する。
第６実施形態と第１実施形態との異なる点は、第１実施形態の電子機器１は、フィルムカメラ２の右上部に撮影範囲投影表示装置３が取り付けられて一体的に構成されていたのに対し、第６実施形態の電子機器６０は、図７に示すように、フィルムカメラ２と撮影範囲投影表示装置６１とが別々の離れた位置にそれぞれ設置されている点である。
【００４９】
また、本実施形態の撮影範囲投影表示装置６１は、画角制御系１１が、フィルムカメラ２と照射部１０との相対位置情報ｂを入力可能とされており、該相対位置情報ｂに基づいて照射部１０の照射方向を制御するようになっている。
なお、フィルムカメラ２と撮影範囲投影表示装置６１とを有線接続することで、画角制御系１１に相対位置情報ｂを入力しても構わないし、相対位置情報ｂをフィルムカメラ２から無線により受信できるように構成しても構わない。
【００５０】
このように電子機器６０を構成することで、フィルムカメラ２に撮影範囲投影表示装置６１を付属させることが煩わしいために、それぞれを別々の位置に離れた状態で位置させたとしても、画角制御系１１が入力された相対位置情報ｂに基づいて照射部１０の照射方向を制御するので、それぞれの設置位置に関係なく高精度に撮影範囲を示唆することができる。このように設置位置の影響をなくすことができるので、設計の自由度を向上することができる。
【００５１】
なお、本発明の技術範囲は上記実施の形態に限定されるものではなく、本発明の趣旨を逸脱しない範囲において種々の変更を加えることが可能である。
【００５２】
例えば、上記各実施形態においては、照明ユニットと発光面とで照明系を構成しているが、これに限らず、自発光する面を用いても構わない。
また、投影光学系は、結像系で構成したが、これに限られず、例えば、これを全くなくし直接発光面を照射しても構わない。また、撮像範囲と撮像範囲を示唆する領域は、必ずしも完全に一致させる必要はなく、例えば、撮像範囲は矩形であって、示唆する領域は円形でも構わない。
更に、領域を覆う光線は、完全に領域内の全てを覆っても良いが、ある程度間引きされた状態で照射するようにしても構わないし、時間的に空間を走査してある一定時間で空間を覆うように構成しても構わない。
また、上記各実施形態においては、第１の光線を赤色、第２の光線を青色で色付けしたが、これらの色に限られず、任意の色になるように光線の波長を設定して構わない。
【図面の簡単な説明】
【００５３】
【図１】本発明に係る電子機器及び撮影範囲投影表示装置の第１実施形態を示す図であって、被撮影者（被写体）に向けて赤色に色付けされた第１の光線を照射し、撮影範囲を投影表示した状態を示す図である。
【図２】図１に示す撮影範囲投影表示装置の構成図である。
【図３】本発明に係る撮影範囲投影表示装置の第２実施形態を示す図であって、被撮影者（被写体）に向けて赤色に色付けされた第１の光線及び青色に色付けされた第２の光線を照射し、色の違いにより撮影範囲を投影表示した状態を示す図である。
【図４】本発明に係る撮影範囲投影表示装置の第３実施形態を示す図であって、被撮影者（被写体）に向けて青色に色付けされた第２の光線を照射し、光の有無により撮影範囲を投影表示した状態を示す図である。
【図５】本発明に係る撮影範囲投影表示装置の第４実施形態を示す図であって、撮影装置（フィルムカメラ）の撮影範囲より狭くなるように、照射部の光線の投影光軸及び投影画角を設定した状態を示す図である。
【図６】本発明に係る撮影範囲投影表示装置の第５実施形態を示す図であって、撮影装置（フィルムカメラ）の撮影光学系と照射部の光学系を共有の光学系とした状態を示す図である。
【図７】本発明に係る電子機器及び撮影範囲投影表示装置の第６実施形態を示す図であって、撮影装置（フィルムカメラ）と撮影範囲投影表示装置とを離れた位置にそれぞれ設置した状態を示す図である。
【図８】撮影カメラの撮影範囲を確認する従来の装置の一例を示す図であって、ファインダーを利用して撮影者が撮影範囲を確認している状態を示す図である。
【図９】撮影カメラの撮影範囲を確認する従来の装置の一例を示す図であって、モニターを利用して被撮影者（被写体）が撮影範囲を確認している状態を示す図である。
【図１０】撮影カメラの撮影範囲を確認する従来の装置の一例を示す図であって、被撮影者（被写体）が後方に表示された輪郭線を見ることで撮影範囲を確認している状態を示す図である。
【図１１】図１０に示す装置を複数利用して、撮影範囲を示す輪郭線を複数同時に表示している状態を示す図である。
【符号の説明】
【００５４】
Ａ    被撮影者（被写体）
Ｌ１    光線（第１の光線）
Ｌ２    光線（第２の光線）
ａ    画角情報
ｂ    相対位置情報
１、５０、６０    電子機器
２    フィルムカメラ（撮影装置）
３、２０、３０、４０、６１    撮影範囲投影表示装置
１０    照射部
１１    画角制御系（制御部）
【図１】
2006106388.tif 000003
【図２】
2006106388.tif 000004
【図３】
2006106388.tif 000005
【図４】
2006106388.tif 000006
【図５】
2006106388.tif 000007
【図６】
2006106388.tif 000008
【図７】
2006106388.tif 000009
【図８】
2006106388.tif 000010
【図９】
2006106388.tif 000011
【図１０】
2006106388.tif 000012
【図１１】
2006106388.tif 000013